(57)【要約】【課題】  海苔粉の排出量を少なく且つ切り口美しく海苔束を裁断する。【解決手段】  海苔束Ｎを載せた海苔束載せ台２を、定位置の回転丸刃３を通過する様にスライド移動させて海苔束を裁断する。海苔束の厚みが大きくても、能率的且つ切り口美しく裁断できる。回転丸刃(３)は、両刃又は片刃であって、鋸歯ではないので、裁断の際に排出される海苔の粉の量は多くはなく、作業環境を悪くしない。【選択図】 図２
2006123096.tif 000002
【特許請求の範囲】
【請求項１】
海苔束載せ台(２)と該海苔束載せ台に対して相対的に移動可能なモータ駆動の回転軸(30)上に１又は複数個設けられた回転丸刃(３)と、海苔束載せ台(２)上の海苔束Ｎを押える押え部材(４)とによって構成され、海苔束載せ台(２)には回転丸刃(３)が侵入して該海苔束載せ台(２)とは相対的に海苔束裁断方向に移動を許すスリット孔(27)が開設されており、回転丸刃(３)は両刃又は片刃である海苔束裁断装置。
【請求項２】
基台(１)上に海苔束載せ台(２)がスライド移動可能に配備され、海苔束載せ台(２)の移行路に侵入して定位置に回転丸刃(３)が配備され、海苔束載せ台(２)上に押え部材(４)が配備されている請求項１に記載の海苔束裁断装置。
【請求項３】
押え部材(４)は上向きに回転可能に支持され、上方へ開いた状態で海苔束載せ台(２)へ海苔束Ｎの投入と取出しが可能である請求項１又は２に記載の海苔束裁断装置。
【発明の詳細な説明】
【技術分野】
【０００１】
本発明は海苔束を複数の束に裁断する海苔束裁断装置に関するものである。
【背景技術】
【０００２】
定型海苔の束を所定の大きさに裁断する装置として、図５に示す裁断装置が提案されている。
これは基台(６)上に載せた海苔束Ｎを、突出し手段(61)によって裁断位置まで裁断幅だけ突き出し、裁断位置に待機する平刃(62)を下降させて海苔束Ｎを裁断するのである(特許文献１)。
【０００３】
【特許文献１】特開２００３−２６０６８７号公報
【発明の開示】
【発明が解決しようとする課題】
【０００４】
上記海苔束裁断装置の平刃(62)は、裁断予定線に沿って揺動する様に構成されているが主に押切りであり、海苔束の厚みが大きいと切り口美しく裁断できない。
又、１回の裁断で１箇所の裁断ができるだけであり、海苔束Ｎを３つ以上の束に裁断する場合、能率が悪い問題があった。
海苔束を丸鋸刃で裁断する装置も実施されているが、海苔の粉が多量に排出されるため作業環境が悪くなる問題があり、又、海苔粉が排出される分、歩留まりが悪い。
本発明は、上記問題を解決できる海苔束裁断装置を明らかにするものである。
【課題を解決するための手段】
【０００５】
請求項１の海苔束裁断装置は、海苔束載せ台(２)と該海苔束載せ台に対して相対的に移動する回転刃(３)上に１又は複数個設けられた回転丸刃(３)と、海苔束載せ台(２)上の海苔束Ｎを押える押え部材(４)とによって構成され、海苔束載せ台(２)には回転丸刃(３)が侵入して該海苔束載せ台(２)とは相対的に海苔束切断方向に移動を許すスリット孔(27)が開設されており、回転丸刃(３)は両刃又は片刃である。
【０００６】
請求項２は請求項１の海苔束裁断装置において、基台(１)上に海苔束載せ台(２)がスライド移動可能に配備され、海苔束載せ台(２)の移行路に侵入して定位置に回転丸刃(３)が配備され、海苔束載せ台(２)上に押え部材(４)が配備されている。
【０００７】
請求項３は請求項１又は２の海苔裁断装置において、押え部材(４)は上向きに回転可能に支持され、上方へ開いた状態で海苔束載せ台(２)へ海苔束Ｎの投入と取出しが可能である。
【発明の効果】
【０００８】
請求項１の海苔裁断装置は、海苔束Ｎに対して回転丸刃(３)を相対的に移動させて裁断するため、海苔束の厚みが大であっても、能率的且つ切り口美しく裁断できる。
回転丸刃(３)は、両刃又は片刃であって、従来の様な鋸歯ではないので、裁断の際に排出される海苔の粉の量は多くはなく、作業環境を大幅に改善できる。
又、裁断によって生じる海苔粉が少ないということは、歩留まりが良いことを意味する。  回転丸刃(３)の個数を増やせば、１度に３つ以上の裁断海苔束Ｎ1に裁断でき、作業能率が向上する。
【０００９】
請求項２の海苔束裁断装置は、定位置の回転丸刃(３)に対して、海苔束載せ台(２)をスライドさせて海苔束載せ台(２)上の海苔束Ｎを裁断するため、回転丸刃(３)を裁断方向に移動させる場合の様に、重量の嵩む回転駆動用モータ(５)を一緒に移動させる必要はなく、海苔束載せ台(２)全体を軽量化できる。このため、手動で海苔束載せ台(２)をスライドさせる様に裁断装置を設計でき、小型で使い易い海苔裁断装置を実現できる。
【００１０】
請求項３の海苔裁断装置は、押え部材(４)を上方へ開いて海苔束載せ台(２)へ海苔束Ｎの投入と取出しが容易にできるので、作業能率を高めることができる。
【発明を実施するための最良の形態】
【００１１】
本発明の海苔裁断装置は、基台(１)上にスライド可能に海苔束載せ台(２)を配備し、海苔束載せ台(２)上に、該海苔束載せ台(２)に収容された海苔束Ｎを押える押え部材(４)を配備し、基台(１)の定位置に設けた回転軸(30)に１又は複数の回転丸刃(３)を取り付けて構成される。
以下、図２において、左側を前側、右側を後側とする。
【００１２】
基台(１)上には、海苔束載せ台(２)を前後にスライド案内するレール(11)(図１ではレールは１本しか見えないが、２本の平行レールである)が敷設されている。
基台(１)内には、回転丸刃(３)の回転軸(30)を回転駆動するモータ(５)が収容されている。
【００１３】
海苔束載せ台(２)は、下面が開口した中空の筺体であって、前記レール(11)上を転動する車輪(25)を具えており、上面には海苔束Ｎを少し余裕のある状態に収容できる海苔束収容部(21)が凹設されている。
海苔束載せ台(２)の前部は、回転丸刃(３)を収容できる丸刃待機空間(20)となっている。  海苔束載せ台(２)のスライド方向と直交する海苔束載せ台(２)の側面は開放されている。
海苔束載せ台(２)の前後の壁板(22)(23)及び底壁板(24)は金属製の網板で形成され、各壁板(22)(23)(24)に連続して海苔束載せ台(２)のスライド方向にスリット孔(27)が開設されている。
海苔束載せ台(２)の後端に手動スライド駆動用のハンドル(26)が突設されている。
【００１４】
スリット孔(27)は、海苔束収容部(21)の前後の壁板(22)(23)において、海苔束収容部(21)に収容される海苔束Ｎの高さより高く上向きに延びている。
スリット孔(27)は、海苔束Ｎの裁断幅に対応して１又は複数箇所に開設されている。
実施例では、仕様の範囲の最大必要数のスリット孔(27)が、仕様の範囲の裁断幅に対応する様に開設されている。
【００１５】
海苔束載せ台(２)には、海苔束収容部(21)に収容された海苔束Ｎを上から押さえる押え部材(４)が配備される。
押え部材(４)は、海苔束収容部(21)に被さる蓋板(41)の裏面に海苔束収容部(21)上の海苔束Ｎを押さえる複数の押え杆(42)を突設して形成されている。
蓋板(41)は、海苔束載せ台(２)の前部の左右両側に突設したブラケット(28)(28)間に上向き回転可能且つ高さ調節可能に配備されている。
蓋板(41)の自由端側に開閉用のハンドル(43)が突設されている。
押え杆(42)は、軸体又は帯板を幅広Ｕ字上に屈曲して形成され、海苔束収容部(21)のスリット孔(27)(27)間及び両側のスリット孔(27)の外側に、海苔束載せ台(２)のスライド方向に向けて両端が蓋板(41)に固定されている。
【００１６】
基台(１)上には海苔束載せ台(２)内に侵入して海苔束載せ台(２)のスライド方向に直交して回転軸(30)が軸承(軸承用ブラケットは図面では省略)され、該回転軸(30)に回転伝達手段(51)を介して前記モータ(５)が連繋される。
該回転軸(30)に、前記海苔束載せ台(２)のスリット孔(27)から海苔束収容部(21)に突出する回転丸刃(３)が着脱可能に取り付けられている。海苔束Ｎの裁断幅によっては、幾つかの回転丸刃(３)が外されることもある。
回転丸刃(３)は直径は約２０cm、厚みは約０.５mmである。
海苔束収容部(21)上の海苔束Ｎが上記押え部材(４)によって押えられた状態において、回転丸刃(３)の上端は海苔束Ｎの上面より少し高い位置となる。
回転丸刃(３)は、図３ａに示す両刃又は図３ｂに示す片刃の何れでもよい。
回転丸刃(３)は、図１において反時計方向に回転し、回転速度は、１分間に２００回転程度である。
【００１７】
然して、空の海苔束載せ台(２)を基台(１)の後部側に位置させて、回転丸刃(３)を海苔束載せ台(２)の丸刃待機空間(20)が待機させる。
海苔束収容部(21)に海苔束Ｎを収容し、押え部材(４)を閉じて押え杆(42)で海苔束Ｎを押圧する。実施例では、押え部材(４)は自重で海苔束Ｎを押さえているが、ロック手段(図示せず)によって、押え部材(４)の閉じ状態を解除可能にロックすることも可能である。
回転丸刃(３)を回転させた状態で、海苔束載せ台(２)を前進させる。
回転丸刃(３)が海苔束載せ台(２)に食い込んで、海苔束Ｎを裁断する。
【００１８】
従来の平刃による押切りに比べて、回転する丸刃(３)による裁断は円滑であり且つ切り口が美しい。
回転丸刃(３)は、図２において、反時計方向、即ち、通過する海苔束Ｎを持ち上げる方向に回転している。海苔束Ｎは押え部材(４)によって押えられているから、回転丸刃(３)の回転によって海苔束載せ台(２)全体に上向きの力が働く。これによって海苔束載せ台(２)を手動でも軽くスライドさせることができる。
又、従来の丸鋸刃による裁断に比べて、排出される海苔粉の量は飛躍的に少なくなり、作業環境を悪くしない。
一度の海苔束Ｎの裁断で、回転丸刃(３)の個数に１を加えた個数に裁断でき、作業能率が向上する。
【００１９】
海苔束収容部(21)の前後の壁板(22)(23)及び底壁板(24)は網板であるから、海苔粉は網目から落下して海苔束収容部(21)に溜まることはない。
海苔束Ｎの上面後端を回転丸刃(３)が通過するまで海苔束載せ台(２)を前進させると裁断が終了する。押え部材(４)を開いて裁断海苔束Ｎ1を海苔束収容部(21)からが取り出す。
上記作業を繰り返して、海苔束を能率的に裁断できる。
【００２０】
上記の如く、定位置の回転丸刃(３)に対して海苔束載せ台(２)をスライドさせて海苔束載せ台(２)上の海苔束Ｎを裁断するため、回転丸刃(３)を裁断方向に移動させる場合の様に、重量の嵩む回転駆動用モータ(５)も一緒に移動させる必要はなく、海苔束載せ台(２)全体を軽量化できる。このため、手動で海苔束載せ台(２)をスライドさせる様に裁断装置を設計でき、小型で使い易い海苔裁断装置を実現できる。
【００２１】
又、押え部材(４)を上方へ開いて海苔束載せ台(２)へ海苔束Ｎの投入と取出しが容易にできるので、作業能率を高めることができる。
【００２２】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【００２３】
例えば、海苔束載せ台(２)を定位置に設け、回転丸刃(３)を回転させつつ裁断方向にスライド移動させて海苔束載せ台(２)上の海苔束Ｎを裁断することも可能である。
要は、海苔束載せ台(２)と回転丸刃(３)が相対的にスライドすればよい。
【００２４】
又、海苔束載せ台(２)に走行用モータを搭載して自走式とすることもできる。
【図面の簡単な説明】
【００２５】
【図１】海苔束裁断装置の斜面図である。
【図２】同上の装置の一部を断面で表した正面図である。
【図３】ａ図は両刃の刃先、ｂ図は片刃の刃先を示している。
【図４】ａ図は海苔束、ｂ図は裁断海苔束を示す斜面図である。
【図５】従来例の裁断装置の正面図である。
【符号の説明】
【００２６】
１  基台
２  海苔束載せ台
21  海苔束収容部
３  回転丸刃
30  回転軸
４  押え部材
５  モータ
【図１】
2006123096.tif 000003
【図２】
2006123096.tif 000004
【図３】
2006123096.tif 000005
【図４】
2006123096.tif 000006
【図５】
2006123096.tif 000007